(57)【要約】【課題】  布帛などの浸透性記録媒体において、背景画像のようなインク付着量が多い画像形成を行う場合、インクの裏抜けが生じる課題がある。【解決手段】  液体吐出装置は、共に所定の色である第一の液滴および第二の液滴を浸透性記録媒体に対し吐出する液体吐出ヘッドと、前記第一の液滴を前記浸透性記録媒体に吐出させて、互いに接触しない複数の第一の付着物からなる第一のパターンを形成した後、前記第二の液滴を前記浸透性記録媒体に吐出させて、前記第一のパターンを形成するいずれかの前記第一の付着物に接触する第二の付着物からなる第二のパターンを形成する吐出制御手段と、を有する。【選択図】図９
2019166700.tif 000002
【特許請求の範囲】
【請求項１】
共に所定の色である第一の液滴および第二の液滴を浸透性記録媒体に対し吐出する液体吐出ヘッドと、
前記第一の液滴を前記浸透性記録媒体に吐出させて、互いに接触しない複数の第一の付着物からなる第一のパターンを形成した後、前記第二の液滴を前記浸透性記録媒体に吐出させて、前記第一のパターンを形成するいずれかの前記第一の付着物に接触する第二の付着物からなる第二のパターンを形成する吐出制御手段と、
を有する液体吐出装置。
【請求項２】
前記吐出制御手段は、前記第一の液滴より液量の多い前記第二の液滴を吐出させる請求項１に記載の液体吐出装置。
【請求項３】
前記吐出制御手段は、前記第一の付着物のサイズよりも前記第二の付着物のサイズが大きくなるように前記第一液滴及び前記第二の液滴を吐出させる請求項１に記載の液体吐出装置。
【請求項４】
前記吐出制御手段は、前記第一のパターンより解像度の低い前記第二のパターンを形成させる請求項２に記載の液体吐出装置。
【請求項５】
前記第一の液滴を形成する第一の液体の表面張力は、前記第二の液滴を形成する第二の液体の表面張力より高い請求項１に記載の液体吐出装置。
【請求項６】
前記第一の液滴、及び前記第二の液滴は、白色無機顔料を含む請求項１乃至５のいずれか一項に記載の液体吐出装置。
【請求項７】
前記第一の液滴、及び前記第二の液滴は、グリコールエーテル類、又は１，２−アルキルジオールを含む請求項１乃至６のいずれか一項に記載の液体吐出装置。
【請求項８】
前記浸透性記録媒体は、布帛である請求項１乃至７のいずれか一項に記載の液体吐出装置。
【請求項９】
前記浸透性記録媒体は、前記第一の液滴および前記第二の液滴に含まれる成分を凝集させる前処理液が付与されている請求項１乃至８のいずれか一項に記載の液体吐出装置。
【請求項１０】
前記吐出制御手段は、前記第一のパターン及び第二のパターンから背景画像を形成する請求項１乃至９のいずれか一項に記載の液体吐出装置。
【請求項１１】
共に所定の色である第一の液滴および第二の液滴を浸透性記録媒体に対し吐出する液体吐出ヘッド、を有する液体吐出装置に、
前記第一の液滴を前記浸透性記録媒体に吐出させて、互いに接触しない複数の第一の付着物からなる第一のパターンを形成した後、前記第二の液滴を前記浸透性記録媒体に吐出させて、前記第一のパターンを形成するいずれかの前記第一の付着物に接触する第二の付着物からなる第二のパターンを形成する吐出制御処理を実行させる液体吐出方法。
【請求項１２】
共に所定の色である第一の液滴および第二の液滴を浸透性記録媒体に対し吐出する液体吐出ヘッド、を有する液体吐出装置に、
前記第一の液滴を前記浸透性記録媒体に吐出させて、互いに接触しない複数の第一の付着物からなる第一のパターンを形成した後、前記第二の液滴を前記浸透性記録媒体に吐出させて、前記第一のパターンを形成するいずれかの前記第一の付着物に接触する第二の付着物からなる第二のパターンを形成する吐出制御処理を実行させるプログラム。
【発明の詳細な説明】
【技術分野】
【０００１】
本発明は、液体吐出装置、液体吐出方法、及びプログラムに関する。
【背景技術】
【０００２】
ノズルからインクを吐出してＴシャツなどの布帛に対し画像を形成するインクジェット方式の液体吐出装置が知られている。このようなインクを黒色などの色の濃い布帛に対して吐出し画像を形成する場合、発色性に劣ることがある。そこで、色の濃い布帛を用いる場合、白色などのベタ画像を背景画像として形成し、その後、背景画像の上に前景用インクを吐出することで発色性に優れる前景画像を形成している。
【０００３】
特許文献１には、布帛に対して前処理液を付着させた後、布帛を覆う程度に第１インク組成物を吐出し、更に第１インク組成物を吐出する際におけるノズル抜けやバンディング（飛行曲がりによりインクが付与されない部分のスジ）を補完することを目的として、第１インク組成物と同色の第２インク組成物を吐出しベタ画像を形成するインクジェット捺染方法が開示されている。
【発明の概要】
【発明が解決しようとする課題】
【０００４】
しかしながら、布帛などの浸透性記録媒体において、背景画像のようなインク付着量が多い画像形成を行う場合、インクの裏抜けが生じる課題がある。
【課題を解決するための手段】
【０００５】
請求項１に係る発明は、共に所定の色である第一の液滴および第二の液滴を浸透性記録媒体に対し吐出する液体吐出ヘッドと、前記第一の液滴を前記浸透性記録媒体に吐出させて、互いに接触しない複数の第一の付着物からなる第一のパターンを形成した後、前記第二の液滴を前記浸透性記録媒体に吐出させて、前記第一のパターンを形成するいずれかの前記第一の付着物に接触する第二の付着物からなる第二のパターンを形成する吐出制御手段と、を有する液体吐出装置である。
【発明の効果】
【０００６】
本発明の液体吐出装置は、布帛などの浸透性記録媒体において、背景画像のようなインク付着量が多い画像形成を行う場合であっても、インクの裏抜けを抑制することができるという効果を奏する。
【図面の簡単な説明】
【０００７】
【図１】本発明の一実施形態に係る液体吐出装置を示す概略側面図である。
【図２】本発明の他の一実施形態に係る液体吐出装置を示す概略上面図である。
【図３】液体吐出装置における液体吐出ヘッドの配置例を示す概略構成図である。
【図４】液体吐出装置における液体吐出ヘッドの配置例を示す概略構成図である。
【図５】一実施形態に係る液体吐出装置のハードウェア構成図である。
【図６】一実施形態に係る液体吐出装置の機能ブロック図である。
【図７】背景画像を形成する液滴の吐出を制御する処理の一例を示すフロー図である。
【図８】ホワイト（ｗ１）インクの液滴（第一の液滴の一例）によって布帛に形成される第一のパターンの一例を表す模式図である。
【図９】ホワイト（ｗ１）インクの液滴（第一の液滴の一例）及びホワイト（ｗ２）インクの液滴（第二の液滴の一例）によって布帛に形成される第一のパターンおよび第二のパターンの一例を表す模式図である。
【図１０】ホワイト（ｗ１）インクの液滴（第一の液滴の一例）によって布帛に形成される第一のパターンの一例を表す模式図である。
【図１１】ホワイト（ｗ１）インクの液滴（第一の液滴の一例）及びホワイト（ｗ２）インクの液滴（第二の液滴の一例）によって布帛に形成される第一のパターンおよび第二のパターンの一例を表す模式図である。
【図１２】ホワイト（ｗ１）インクの液滴（第一の液滴の一例）によって布帛に形成される第一のパターンの一例を表す模式図である。
【図１３】ホワイト（ｗ１）インクの液滴（第一の液滴の一例）及びホワイト（ｗ２）インクの液滴（第二の液滴の一例）によって布帛に形成される第一のパターンおよび第二のパターンの一例を表す模式図である。
【発明を実施するための形態】
【０００８】
以下、図を参照しながら、本発明の実施形態について具体的に説明する。なお、以下の説明において、好適な手段、処理等が記載されているが、本発明は、以下の説明によって限定されるものではない。また、実施形態で説明される構成の全てが本発明の必須の構成ではない。
【０００９】
＜＜液体吐出装置＞＞
本願において、「液体吐出装置」は、液体吐出ヘッド又は液体吐出ユニットを備え、液体吐出ヘッドを駆動させて、液体を液滴として吐出させる装置である。この「液体吐出装置」は、液体が付着可能なものの給送、搬送、排出に係わる手段、その他、前処理装置、後処理装置なども含むことができる。
【００１０】
また、「液体吐出装置」は、吐出された複数の液滴によって文字、図形等の有意な画像が可視化されるものに限定されるものではない。例えば、それ自体意味を持たないパターン等を形成するもの、三次元像を造形するものも含まれる。
【００１１】
上記「液体が付着可能なもの」とは、液体が少なくとも一時的に付着可能なものであって、付着して固着するもの、付着して浸透するものなどを意味する。また、本願において、「液体が付着可能なもの」は、液体が浸透する記録媒体（以降、浸透性記録媒体）であり、例えば、絹、綿、羊毛、ナイロン、ポリエステル、レーヨン等の天然繊維又は合成繊維などの布帛が挙げられる。
また、本願における浸透性記録媒体は、液体吐出ヘッドから吐出される液滴に含まれる成分を凝集させる前処理液が付与されていることが好ましい。浸透性記録媒体に前処理液を付与する方法としては特に限定されないが、例えば、液体吐出装置に前処理装置を設けて前処理液を塗布する方法、液体吐出装置とは別に前処理装置を用意して前処理液を塗布する方法、及び手動で前処理液を塗布する方法などが挙げられる。
また、浸透性記録媒体に前処理液を付与する処理に代えて、浸透性記録媒体にコロナ放電をかける処理を行うことで液体吐出ヘッドから吐出される液滴に含まれる成分を凝集させてもよい。なお、前処理液が付与された浸透性記録媒体に対しコロナ放電をかけてもよい。
【００１２】
また、「液体」は、ヘッドから吐出可能な粘度や表面張力を有するものであればよく、特に限定されないが、常温、常圧下において、または加熱、冷却により粘度が３０ｍＰａ・ｓ以下となるものであることが好ましい。より具体的には、水や有機溶媒等の溶媒、染料や顔料等の着色剤、重合性化合物、樹脂、界面活性剤等の機能性付与材料、ＤＮＡ、アミノ酸やたんぱく質、カルシウム等の生体適合材料、天然色素等の可食材料、などを含む溶液、懸濁液、エマルジョンなどであり、これらは例えば、インクジェット用インク、表面処理液、電子素子や発光素子の構成要素や電子回路レジストパターンの形成用液、３次元造形用材料液等の用途で用いることができる。
【００１３】
また、「液体吐出装置」は、液体吐出ヘッドと液体が付着可能なものとが相対的に移動する装置があるが、これに限定するものではない。具体例としては、液体吐出ヘッドを移動させるシリアル型装置、液体吐出ヘッドを移動させないライン型装置などが含まれ、シリアル型装置であることが好ましい。
【００１４】
「液体吐出ユニット」とは、液体吐出ヘッドに機能部品、機構が一体化したものであり、液体の吐出に関連する部品の集合体である。例えば、「液体吐出ユニット」は、ヘッドタンク、キャリッジ、供給機構、維持回復機構、主走査移動機構の構成の少なくとも一つを液体吐出ヘッドと組み合わせたものなどが含まれる。
【００１５】
ここで、一体化とは、例えば、液体吐出ヘッドと機能部品、機構が、締結、接着、係合などで互いに固定されているもの、一方が他方に対して移動可能に保持されているものを含む。また、液体吐出ヘッドと、機能部品、機構が互いに着脱可能に構成されていても良い。
【００１６】
例えば、液体吐出ユニットとして、液体吐出ヘッドとヘッドタンクが一体化されているものがある。また、チューブなどで互いに接続されて、液体吐出ヘッドとヘッドタンクが一体化されているものがある。ここで、これらの液体吐出ユニットのヘッドタンクと液体吐出ヘッドとの間にフィルタを含むユニットを追加することもできる。
また、液体吐出ユニットとして、液体吐出ヘッドとキャリッジが一体化されているものがある。
【００１７】
また、液体吐出ユニットとして、液体吐出ヘッドを走査移動機構の一部を構成するガイド部材に移動可能に保持させて、液体吐出ヘッドと走査移動機構が一体化されているものがある。また、液体吐出ヘッドとキャリッジと主走査移動機構が一体化されているものがある。
【００１８】
また、液体吐出ユニットとして、液体吐出ヘッドが取り付けられたキャリッジに、維持回復機構の一部であるキャップ部材を固定させて、液体吐出ヘッドとキャリッジと維持回復機構が一体化されているものがある。
【００１９】
また、液体吐出ユニットとして、ヘッドタンク若しくは流路部品が取付けられた液体吐出ヘッドにチューブが接続されて、液体吐出ヘッドと供給機構が一体化されているものがある。このチューブを介して、液体貯留源の液体が液体吐出ヘッドに供給される。主走査移動機構は、ガイド部材単体も含むものとする。また、供給機構は、チューブ単体、装填部単体も含むものする。また、本願の用語における、画像形成、記録、印字、印写、印刷、造形等はいずれも同義語とする。
【００２０】
図１は、本発明の一実施形態に係る液体吐出装置を示す概略側面図である。図１に示す液体吐出装置１Ａは、フルライン型のインクジェット記録装置である。液体吐出装置１Ａは、搬送ローラ２と、搬送ガイド部材４と、拍車５と、液体吐出ヘッド６ｗ１，６ｗ２，６ｍ，６ｃ，６ｋ，６ｙと、排出ローラ１０と、を有する。以下、液体吐出ヘッド６ｗ１，６ｗ２，６ｍ，６ｃ，６ｋ，６ｙのうち任意のものを、液体吐出ヘッド６と表す。
【００２１】
搬送ローラ２は、回転駆動することにより、液体吐出装置１Ａに供給された布帛Ｆ（浸透性記録媒体の一例）を、液体吐出装置１Ａ内の搬送経路に沿って搬送する。図１に示す例では、布帛Ｆは搬送方向（図１中の矢印Ｂ方向）に連続している布帛である。また、布帛Ｆは前処理液を付与されている布帛である。
【００２２】
搬送ガイド部材４は、布帛Ｆを、搬送経路に沿って搬送されるようにガイドする。搬送ガイド部材４の表面は、布帛Ｆの搬送時の摩擦低下を防止するため、撥水処理が施されている。拍車５は、布帛Ｆの波打ち（コックリング）を防ぐため、搬送される布帛Ｆと接触可能に、搬送ガイド部材４に対向する位置に配置される。
【００２３】
液体吐出ヘッド６は、複数のノズルが配列された複数のノズル列を有しており、ノズルからの液体の吐出方向が、布帛Ｆの搬送経路に向くように設けられている。これにより、液体吐出ヘッド６ｗ１，６ｗ２，６ｍ，６ｃ，６ｋ，６ｙは、布帛Ｆに、ホワイト（Ｗ１）、ホワイト（Ｗ２）、マゼンタ（Ｍ）、シアン（Ｃ）、ブラック（Ｋ）、及びイエロー（Ｙ）の各色の液体を順に吐出する。
なお、ホワイト（Ｗ１）の液体、及びホワイト（Ｗ２）の液体は、共に所定の色の液体である。本願において「共に所定の色」とは、ホワイト、ブラック、グレー、シルバー、ゴールド、及びカラーなどに分類される色の範囲内において、比較される対象同士、すなわち第一の液滴、及び第二の液滴が同じ色に分類されることを意味する。カラーには、シアン、マゼンタ、イエロー、レッド、グリーン、ブルー、オレンジ、及びバイオレットなどが含まれる。なお、淡シアンとシアン、淡マゼンタとマゼンタ、淡イエローとイエロー、淡グレーとグレーなど、濃淡がある場合であっても同じ色に分類されるものとする。なお、「所定の色」には、例えば、クリアインクのような透明または無色の場合も含まれる。
【００２４】
液体吐出ヘッド６は、圧力発生手段によって発生させた圧力により液体を吐出してもよい。液体吐出ヘッド６において液体を吐出させる手段としては、特に限定されないが、例えば、圧電アクチュエータ（積層型圧電素子を使用するものでもよい）、発熱抵抗体などの電気熱変換素子を用いるサーマルアクチュエータ、振動板と対向電極からなる静電アクチュエータなどが例示される。
【００２５】
液体吐出ヘッド６による液体吐出量としては、例えば、３ｐＬ以上４０ｐＬ以下であり、その吐出噴射の速さは、例えば、５ｍ／ｓ以上２０ｍ／ｓ以下であり、その駆動周波数は、例えば、１ｋＨｚ以上であり、その解像度は、例えば、３００ｄｐｉ以上である。
【００２６】
排出ローラ１０は、画像形成後の布帛Ｆを、液体吐出装置１Ａから排出する。
【００２７】
図２は、本発明の他の一実施形態に係る液体吐出装置を示す概略上面図である。図２に示す液体吐出装置１Ｂは、シリアル型のインクジェット記録装置である。
【００２８】
液体吐出装置１Ｂは、エンコーダセンサ５１と、キャリッジ５２と、タイミングベルト５３と、駆動プーリ５４と、従動プーリ５５と、主走査モータ５６と、プラテン５７と、エンコーダシート５８と、主ガイドロッド５９と、液体吐出ヘッド６０と、を有する。
【００２９】
主ガイドロッド５９は、キャリッジ５２を、主走査方向（図２中の矢印Ａ方向）に往復移動可能に支持する。駆動プーリ５４と従動プーリ５５は、主走査方向に所定の間隔で液体吐出装置１Ｂに設けられている。タイミングベルト５３は、無端ベルト状であり、駆動プーリ５４と従動プーリ５５との間に張り渡されている。
【００３０】
キャリッジ５２の移動範囲において、タイミングベルト５３に対して平行にエンコーダシート５８が配設されている。キャリッジ５２には、エンコーダシート５８を読み取るエンコーダセンサ５１が設けられている。主走査モータ５６は、エンコーダセンサ５１によるエンコーダシート５８の読み取り結果に基づいて、駆動プーリ５４の回転駆動を制御される。これにより、タイミングベルト５３は回転移動する。キャリッジ５２は、タイミングベルト５３に連結しており、タイミングベルト５３が回転移動することで、主走査方向に往復移動する。
【００３１】
布帛Ｆは、プラテン５７上を主走査方向と直交する副走査方向（図２中の矢印Ｂ方向）に間欠的に搬送される。液体吐出ヘッド６０は、液体を吐出するための複数のノズルを有しており、その吐出面（ノズル面）が、布帛Ｆ側を向くようにキャリッジに搭載されている。液体吐出ヘッド６０は、主走査方向に移動しながら、副走査方向（矢印Ｂ方向）に間欠的に搬送される布帛Ｆにインクを吐出することで、布帛Ｆの所定位置にインクを吐出して画像を形成する。また、布帛Ｆは前処理液を付与されている布帛である。
【００３２】
図３は、液体吐出装置における液体吐出ヘッドの配置例を示す概略構成図である。図４は、液体吐出装置における液体吐出ヘッドの配置例を示す概略構成図である。図３及び図４の（Ａ）乃至（Ｈ）に示すように、液体吐出装置１Ｂには、それぞれ、３つ以上の液体吐出ヘッド６０が配置されている。１つの液体吐出ヘッド６０は、それぞれ、副走査方向に複数のノズルが並んだ４つのノズル列を有している。
【００３３】
液体吐出ヘッド６０において、１つのノズル列の各ノズルから吐出される液体は同色である。例えば、ノズル列６０ｋ，６０ｃ，６０ｍ，６０ｙ，６０ｗ１、６０ｗ２のノズル列は、それぞれ、ブラック（Ｋ）、シアン（Ｃ）、マゼンタ（Ｍ）、イエロー（Ｙ）、ホワイト（Ｗ１）、ホワイト（Ｗ２）のインクを吐出する。なお、液体吐出ヘッド６０の配置は、（Ａ）乃至（Ｈ）の例に限られない。液体吐出ヘッド６０は、例えば、主走査方向に並んでいてもよい。また、液体吐出装置１Ｂは、例えば、レッド、グリーン、ブルー、オレンジ、バイオレット、グレー、シルバー、ゴールド、などの特色インクを吐出する他の液体吐出ヘッド６０を有してもよい。
【００３４】
＜＜ハードウェア構成＞＞
図５は、一実施形態に係る液体吐出装置のハードウェア構成図である。図５の（Ａ）は、液体吐出装置１Ａのハードウェア構成を示し、図５の（Ｂ）は、液体吐出装置１Ｂのハードウェア構成を示す。以下、液体吐出装置１Ａ，１Ｂのうち任意のものを液体吐出装置１と表す。
【００３５】
液体吐出装置１Ａは、ＣＰＵ（Central Processing Unit）１０１、ＲＯＭ（Read Only Memory）１０２、ＲＡＭ（Random Access Memory）１０３、不揮発性メモリ１０４、液体吐出ヘッドドライバ１０６、副走査ドライバ１０７、外部接続Ｉ／Ｆ(Interface)１０８、及び布帛搬送部１０９を備えている。液体吐出装置１Ｂは、さらにキャリッジ５２の主走査方向への移動を制御する主走査ドライバ１０５を備えている。
【００３６】
ＣＰＵ１０１は、液体吐出装置１の全体を制御するための処理装置である。ＲＯＭ１０２は、液体吐出装置１のプログラム及び背景画像等の形成に必要なデータ等を記憶する。ＲＡＭ１０３は、揮発性のメモリであって、ＲＯＭ１０２に記憶されたプログラムが展開されて、ＣＰＵ１０１のワークエリアとして用いられる。不揮発性メモリ１０４は、例えば、ＨＤ（Hard Disk）、ＳＳＤ（Solid State Drive）であって、電源遮断後もデータを保持する。液体吐出ヘッドドライバ１０６は、液体吐出ヘッド６，６０の駆動を制御するためのドライバである。外部接続Ｉ／Ｆ１０８は、外部の情報処理装置との間で情報を送受信するためのＩ／Ｆである。布帛搬送部１０９は、例えば、ローラ、及びローラを駆動するモータであって、液体吐出装置１内の搬送経路に沿って布帛Ｆを搬送する。副走査ドライバ１０７は、布帛Ｆの搬送を制御するためのドライバである。液体吐出装置１Ｂの主走査ドライバ１０５は、キャリッジ５２の主走査方向への移動を制御するためのドライバである。なお、主走査ドライバ１０５、液体吐出ヘッドドライバ１０６、及び副走査ドライバ１０７は、それぞれプログラムに従ったＣＰＵ１０１の命令によって実現する機能であってもよい。
【００３７】
＜＜機能構成＞＞
図６は、一実施形態に係る液体吐出装置の機能ブロック図である。液体吐出装置１は、吐出制御部７０１を有している。これは、ＲＯＭ１０２に記憶されているプログラムに従ったＣＰＵ１０１からの命令によって動作することで実現される機能である。
【００３８】
また、液体吐出装置１は、ＲＯＭ１０２、ＲＡＭ１０３、または不揮発性メモリ１０４によって構築される記憶部１０００を有している。記憶部１０００には、背景画像の形成に必要な背景画像情報１００１が記憶されている。本願において、「背景画像」は、少なくとも浸透性記録媒体上の視認される画像（以降、背景画像と区別するために「前景画像」と称する場合もある）が形成される領域に設けられる。また、浸透性記録媒体上に、背景画像、前景画像の順に重なっており、背景画像と前景画像の間に他の画像が存在していてもよい。なお、背景画像は、前景画像が形成される領域の全面に対して形成される画像（本願では、「ベタ画像」とも称する）であることが好ましい。
【００３９】
吐出制御部７０１は、ＣＰＵ１０１からの命令により実現され、背景画像を形成する液滴の吐出を制御する。
【００４０】
＜＜インク＞＞
続いて、液体吐出装置１により液滴として吐出される液体の一例であるインクについて説明する。インクは、例えば、有機溶剤、水、色材、樹脂、添加剤などを含有する。
【００４１】
＜有機溶剤＞
本発明に使用する有機溶剤としては特に制限されず、水溶性有機溶剤を用いることができる。例えば、多価アルコール類、多価アルコールアルキルエーテル類や多価アルコールアリールエーテル類などのエーテル類、含窒素複素環化合物、アミド類、アミン類、含硫黄化合物類が挙げられる。
【００４２】
また、本発明に使用することができる有機溶剤としては、吐出された液体が浸透性記録媒体に浸透することを促進する有機溶剤を含んでもよく、例えば、グリコールエーテル類、及び１、２−アルキルジオールが挙げられる。グリコールエーテル類としては、特に限定されないが、例えば、エチレングリコールモノメチルエーテル、エチレングリコールモノエチルエーテル、エチレングリコールモノプロピルエーテル、エチレングリコールモノブチルエーテル、エチレングリコールモノメチルエーテルアセテート、ジエチレングリコールモノメチルエーテル、ジエチレングリコールモノエチルエーテル、ジエチレングリコールモノプロピルエーテル、ジエチレングリコールモノブチルエーテル、ジエチレングリコールモノ−ｔ−ブチルエーテル、トリエチレングリコールモノブチルエーテル、１−メチル−１−メトキシブタノール、プロピレングリコールモノメチルエーテル、プロピレングリコールモノエチルエーテル、プロピレングリコールモノプロピルエーテル、プロピレングリコールモノブチルエーテル、ジプロピレングリコールモノメチルエーテル、ジプロピレングリコールモノエチルエーテル、ジプロピレングリコールモノプロピルエーテル、プロピレングリコールモノブチルエーテル、及びジプロピレングリコールモノブチルエーテルが挙げられる。また、１、２−アルキルジオールとしては、特に限定されないが、例えば、１、２−ペンタンジオール及び１、２−ヘキサンジオールが挙げられる。これらの他に、１、３−プロパンジオール、１、４−ブタンジオール、１、５−ペンタンジオール、１、６−ヘキサンジオール、１、７−ヘプタンジオール、及び１、８−オクタンジオール等の直鎖炭化水素のジオール類も挙げることができる。
本願は、後述する液滴の吐出制御を行うため、浸透性記録媒体に対して浸透性を促進する上記の有機溶剤を含むインク用いたとしても、液体が浸透性記録媒体に対して浸透する速度を抑制することができ、インクの裏抜けを抑制することができる。また、浸透性記録媒体が布帛である場合、インクの浸透性が高いため、特にインクの裏抜けの課題が発生しやすい。そのため、インク開発の要請上、上記の有機溶剤を含むインクを用いなければならない場合であっても、後述する液滴の吐出制御を行うことで、液体が浸透性記録媒体に対して浸透する速度を抑制することができ、インクの裏抜けを抑制することができるため特に好ましい。また、前処理液を付与した浸透性記録媒体に対して上記の有機溶剤を含むインクを付与する場合、後述する液滴の吐出制御を行うことで浸透性記録媒体表面近傍に存在する前処理液とインクが反応して凝集する時間を十分に確保することができ、浸透性記録媒体表面近傍において色材が留まることができる。そのため、画像濃度が向上し、特にインクを背景画像形成用で用いる場合において浸透性記録媒体の色に対する隠蔽性を高めることができる。
【００４３】
＜水＞
インクにおける水の含有量は、特に制限はなく、目的に応じて適宜選択することができるが、インクの乾燥性及び吐出信頼性の点から、１０質量％以上９０質量％以下が好ましく、２０質量％〜６０質量％がより好ましい。
【００４４】
＜色材＞
色材としては特に限定されず、顔料、染料を使用可能である。顔料としては、無機顔料又は有機顔料を使用することができる。これらは、１種単独で用いても良く、２種以上を併用しても良い。また、混晶を使用しても良い。顔料としては、例えば、ブラック顔料、イエロー顔料、マゼンダ顔料、シアン顔料、白色顔料、緑色顔料、橙色顔料、金色や銀色などの光沢色顔料やメタリック顔料などを用いることができる。
【００４５】
インクが背景画像を形成する背景用インクである場合、インクに含有される色材としては、前景画像の発色性を高める観点から白色顔料であることが好ましい。白色顔料としては、特に限定されないが、例えば、酸化チタン、酸化亜鉛、硫化亜鉛、酸化アンチモン、及び酸化ジルコニウム等の白色無機顔料が挙げられる。また、白色無機顔料以外に、白色の中空樹脂粒子及び高分子粒子などの白色有機顔料を使用することもできる。
白色顔料のカラーインデックス（Ｃ．Ｉ．）としては、特に限定されないが、例えば、Ｃ．Ｉ．Ｐｉｇｍｅｎｔ  Ｗｈｉｔｅ  １（塩基性炭酸鉛）、４（酸化亜鉛）、５（硫化亜鉛と硫酸バリウムの混合物）、６（酸化チタン）、６：１（他の金属酸化物を含有する酸化チタン）、７（硫化亜鉛）、１８（炭酸カルシウム）、１９（クレー）、２０（雲母チタン）、２１（硫酸バリウム）、２２（天然硫酸バリウム）、２３（グロスホワイト）、２４（アルミナホワイト）、２５（石膏）、２６（酸化マグネシウム・酸化ケイ素）、２７（シリカ）、２８（無水ケイ酸カルシウム）が挙げられる。
白色顔料は、上記の通り前景画像の発色性を高めることができるが、酸化チタンなどの白色無機顔料を用いた場合、顔料の比重が大きいため、他の色材を用いた場合に比べて浸透性記録媒体に対する色材の浸透性が促進される。しかし、本願は、後述する液滴の吐出制御を行うため、浸透性記録媒体に対して浸透性を促進する上記の白色無機顔料を含むインク用いたとしても、液体が浸透性記録媒体に対して浸透する速度を抑制することができ、インクの裏抜けを抑制することができる。また、浸透性記録媒体が布帛である場合、インクの浸透性が高いため、特にインクの裏抜けの課題が発生しやすい。そのため、インクの用途上、上記の白色無機顔料を含むインクを用いなければならない場合であっても、後述する液滴の吐出制御を行うことで、液体が浸透性記録媒体に対して浸透する速度を抑制することができ、インクの裏抜けを抑制することができるため特に好ましい。また、前処理液を付与した浸透性記録媒体に対して上記の白色無機顔料を含むインクを付与する場合、後述する液滴の吐出制御を行うことで浸透性記録媒体表面近傍に存在する前処理液とインクが反応して凝集する時間を十分に確保することができ、浸透性記録媒体表面近傍において色材が留まることができる。そのため、画像濃度が向上し、特にインクを背景画像形成用で用いる場合において浸透性記録媒体の色に対する隠蔽性を高めることができる。
【００４６】
＜樹脂＞
インク中に含有する樹脂の種類としては、特に制限はなく、目的に応じて適宜選択することができ、例えば、ウレタン樹脂、ポリエステル樹脂、アクリル系樹脂、酢酸ビニル系樹脂、スチレン系樹脂、ブタジエン系樹脂、スチレン−ブタジエン系樹脂、塩化ビニル系樹脂、アクリルスチレン系樹脂、アクリルシリコーン系樹脂などが挙げられる。これらの樹脂からなる樹脂粒子を用いても良い。樹脂粒子を、水を分散媒として分散した樹脂エマルションの状態で、色材や有機溶剤などの材料と混合してインクを得ることが可能である。前記樹脂粒子としては、適宜合成したものを使用してもよいし、市販品を使用してもよい。また、これらは、１種を単独で用いても、２種類以上の樹脂粒子を組み合わせて用いてもよい。
【００４７】
＜添加剤＞
インクには、必要に応じて、界面活性剤、消泡剤、防腐防黴剤、防錆剤、ｐＨ調整剤等を加えても良い。
【００４８】
＜＜前処理液＞＞
次に、浸透性記録媒体に付与される液体である前処理液について説明する。前処理液は、例えば、凝集剤、有機溶剤、水を含有し、必要に応じて界面活性剤、消泡剤、ｐＨ調整剤、防腐防黴剤、防錆剤等を含有しても良い。有機溶剤、界面活性剤、消泡剤、ｐＨ調整剤、防腐防黴剤、防錆剤は、インクに用いる材料と同様の材料を使用でき、その他、公知の処理液に用いられる材料を使用できる。凝集剤の種類は特に限定されず、水溶性カチオンポリマー、酸、多価金属塩等が挙げられる。
前処理液の浸透性記録媒体に対する付着量は、０．１ｍｇ／ｃｍ２以上３０．０ｍｇ／ｃｍ２以下であることが好ましく、０．４ｍｇ／ｃｍ２以上１０ｍｇ／ｃｍ２以下であることがより好ましい。
【００４９】
＜＜浸透性記録媒体＞＞
次に、液体が付与される浸透性記録媒体について説明する。浸透性記録媒体としては、布帛等が好ましい。布帛としては、例えば、絹、綿、羊毛、ナイロン、ポリエステル、レーヨン等の天然繊維又は合成繊維が挙げられ、１種類の繊維からなる布帛、２種類以上の繊維の混紡からなる布帛であってもよい。また、布帛としては、上記に挙げた繊維を、織物、編物、不織布等いずれの形態にしたものでもよい。
【００５０】
＜＜処理＞＞
図７は、背景画像を形成する液滴の吐出を制御する処理の一例を示すフロー図である。以下、液体吐出装置１Ｂにおいて背景画像を形成する液滴の吐出を制御する処理について説明するが、液体吐出装置１Ａにおいても同様の処理により、背景画像を形成する液滴の吐出を制御することができる。以下、背景画像を形成する背景用インクの液滴として、色が同一であるホワイト（ｗ１）インクの液滴（第一の液滴の一例）、及びホワイト（ｗ２）インクの液滴（第二の液滴の一例）を用いてブラックの浸透性記録媒体に背景画像を形成する処理について説明する。なお、本実施形態の方法によると、上記の液滴の組み合わせに限らず、背景画像を形成可能な共に所定の色である第一の液滴および第二の液滴を用いることができる。例えば、シアン（ｃ１）インクの液滴（第一の液滴の一例）、及びシアン（ｃ２）インクの液滴（第二の液滴の一例）を用いる場合、マゼンタ（ｍ１）インクの液滴（第一の液滴の一例）、及びマゼンタ（ｍ２）インクの液滴（第二の液滴の一例）を用いる場合、イエロー（ｙ１）インクの液滴（第一の液滴の一例）、及びイエロー（ｙ２）インクの液滴（第二の液滴の一例）を用いる場合、ブラック（ｂ１）インクの液滴（第一の液滴の一例）、及びブラック（ｂ２）インクの液滴（第二の液滴の一例）を用いる場合などが挙げられる。なお、第一の液滴として用いる液体の組成が、第二の液滴として用いる液体の組成と同一であっても異なってもよい。第一の液滴、及び第二の液滴として用いる液体の組成が同一である場合、これらの液滴は、同一の液体吐出ヘッドから吐出されても異なる液体吐出ヘッドから吐出されてもよく、同一の液体吐出ヘッドに設けられた同一のノズルから吐出されてもよい。第一の液滴、及び第二の液滴として用いる液体の組成が異なる場合、これらの液滴は、同一の液体吐出ヘッドから吐出されても異なる液体吐出ヘッドから吐出されてもよい。
【００５１】
吐出制御部７０１は、図７に示すように、記憶部１０００に記憶されている背景画像情報１００１を読み出す（ステップＳ１０１）。本実施形態において、記憶部１０００に記憶されている背景画像情報１００１は、主走査方向における走査毎に、液滴が吐出される位置に関連する位置関連情報と、液滴が吐出される各位置における液滴の液量に関連する液量関連情報と、が関連付けられている。「走査」は、ホワイト（ｗ１）インクの液滴を吐出する第一の走査と、ホワイト（ｗ２）インクの液滴を吐出する第二の走査を含む。第一の走査に関連付けられている「位置関連情報」は、ホワイト（ｗ１）インクの液滴が吐出される位置に関連する情報を示す。第一の走査に関連付けられている「液量関連情報」は、ホワイト（ｗ１）インクの液滴が位置関連情報に基づいて浸透性記録媒体に形成する第一の付着物において、第一の付着物同士が互いに接触しないように設定されたホワイト（ｗ１）インクの液滴の液量に関連する情報を示す。また、第二の走査に関連付けられている「位置関連情報」は、ホワイト（ｗ２）インクの液滴が吐出される位置に関連する情報を示す。第二の走査に関連付けられている「液量関連情報」は、ホワイト（ｗ２）インクの液滴が位置関連情報に基づいて浸透性記録媒体に形成する第二の付着物において、第一の付着物と接触するように設定されたホワイト（ｗ２）インクの液滴の液量に関連する情報を示す。
また、第一の走査、及び第二の走査のそれぞれに関連付けられている位置関連情報は、浸透性記録媒体上における位置を示す情報などが挙げられるが、これに限られない。
また、第一の走査、及び第二の走査のそれぞれに関連付けられている液量関連情報は、液量を示す情報、ノズルサイズが異なることにより吐出可能な液量が異なる液体吐出ヘッドを複数有する液体吐出装置において特定のノズルから液滴を吐出することを示す情報などが挙げられるが、これらに限られない。なお、液量関連情報が液量を示す情報である場合、吐出制御部７０１は、液量に対応する駆動波形の駆動信号を生成し、液体吐出ヘッド６０に供給する。
また、第一の走査、及び第二の走査のそれぞれに関連付けられている位置関連情報、及び液量関連情報は、浸透性記録媒体に第一の液滴、第二の液滴を吐出した際の試験データに基づいて設定されている。また、これら位置関連情報、及び液量関連情報は、浸透性記録媒体の種類ごとに設定されていてもよい。
【００５２】
次に、吐出制御部７０１は、図７に示すように、読み出した背景画像情報１００１に基づき、液体吐出ヘッド６０にホワイト（ｗ１）インクの液滴を吐出させる制御を行う（ステップＳ１０２）。このステップにより、浸透性記録媒体に、ホワイト（ｗ１）インクの付着物からなる第一のパターンが形成される。図８は、ホワイト（ｗ１）インクの液滴（第一の液滴の一例）によって浸透性記録媒体に形成される第一のパターンの一例を表す模式図である。図８に示すように、第一の走査により、二以上の第一の付着物１０２１が互いに接触しない位置にホワイト（ｗ１）インクの液滴は吐出される。例えば、画像の解像度が６００×６００ｄｐｉであり、図８に示すように横方向に連続して第一の付着物を形成する場合、第一の付着物の直径は４２μｍ以下に制限される。
【００５３】
本発明者らは、ホワイト（ｗ１）インクを浸透性記録媒体上で第一の付着物同士が互いに接触する位置に吐出した場合（液滴が合一する位置に吐出した場合）、ホワイト（ｗ１）インクが浸透性記録媒体内部に浸透してしまい、ホワイト（ｗ１）インクの裏抜けが生じる課題、及び背景画像の浸透性記録媒体の色に対する隠蔽性が劣る課題を見出した。また、前処理液が付与されている浸透性記録媒体を用いた場合であっても、前処理液とホワイト（ｗ１）インクとの反応に時間を要するため、浸透性記録媒体の表面近傍における反応が十分に進む前にホワイト（ｗ１）インクが浸透性記録媒体内部に浸透してしまい、上記の課題が同様に生じることを見出した。そこで、ステップ１０２において、二以上の第一の付着物１０２１が互いに接触しない位置にホワイト（ｗ１）インクの液滴を吐出する。
【００５４】
次に、吐出制御部７０１は、図７に示すように、読み出した背景画像情報に基づき、液体吐出ヘッド６０にホワイト（ｗ２）インクの液滴を吐出させる制御を行う（ステップＳ１０３）。このステップにより、前処理液が付与された浸透性記録媒体に、ホワイト（ｗ２）インクの付着物からなる第二のパターンが形成される。図９は、ホワイト（ｗ１）インクの液滴（第一の液滴の一例）及びホワイト（ｗ２）インクの液滴（第二の液滴の一例）によって浸透性記録媒体に形成される第一のパターンおよび第二のパターンの一例を表す模式図である。図９に示すように、第二の走査により、第二の付着物１０３１が第一の付着物１０２１と接触する位置にホワイト（ｗ２）インクの液滴は吐出される。なお、本実施形態では、第一のパターン及び第二のパターンから背景画像が形成される。
【００５５】
本発明者らは、ホワイト（ｗ２）インクを第二の付着物１０３１が第一の付着物１０２１と接触する位置に吐出することで、ホワイト（ｗ２）インクが第一の付着物に含まれる液体と引き付け合い、ホワイト（ｗ２）インクの浸透性記録媒体中への浸透速度が遅くなることを見出した。ホワイト（ｗ２）インクの浸透性記録媒体中への浸透速度が遅くなることにより、ホワイト（ｗ１）インクの裏抜けを抑制することができる。また、前処理液が付与されている浸透性記録媒体を用いた場合、浸透性記録媒体表面近傍に存在する前処理液とホワイト（ｗ２）インクが反応して凝集する時間を十分に確保することができ、浸透性記録媒体表面近傍において色材が留まることができるため、浸透性記録媒体の色に対する隠蔽性を高めることができる。そのため、ステップ１０３において、第二の付着物が第一の付着物と接触する位置にホワイト（ｗ２）インクの液滴を吐出する。
【００５６】
上記実施形態によると、ホワイトインクが浸透性記録媒体内部に過度に浸透して生じるインクの裏抜けを抑制することができる。
【００５７】
なお、本実施形態は、図９に示すように、ホワイト（ｗ２）インクの液滴の液量が、ホワイト（ｗ１）インクの液滴の液量に比べて多くなるように液量関連情報が設定され、背景画像情報１００１として記憶部１０００に記憶されている。本実施形態の液滴の吐出制御を行うことで、上記のようにホワイト（ｗ２）インクの浸透性記録媒体中への浸透速度を遅くすることができるため、液量の多い液滴（大滴）としてホワイト（ｗ２）インクを付与したとしても、インクの裏抜けを抑制することができる。また、それにより浸透性記録媒体の色に対する隠蔽性が優れた背景画像を得られる。
【００５８】
なお、本実施形態は、図９に示すように、第二の付着物１０３１が、２以上の第一の付着物１０２１と接触する位置に配置されている。これにより、第二の付着物１０３１が、第一の付着物１０２１と１つのみ接触する位置に配置される場合に比べ、ホワイト（ｗ２）インクが第一の付着物に含まれる液体と引き付け合う力が増し、よりホワイト（ｗ２）インクの浸透性記録媒体中への浸透速度を遅らせることができ、インクの裏抜けを抑制することができる。
【００５９】
なお、ホワイト（ｗ１）インクの表面張力がホワイト（ｗ２）インクの表面張力より高いと、ホワイト（ｗ２）インクが第一の付着物に含まれる液体と引き付け合う力が増すので好ましい。
【００６０】
＜＜変形例Ａ＞＞
続いて、実施形態の変形例Ａについて、上記の実施形態と異なる点を説明する。変形例Ａにおいて、吐出制御部７０１は、図７に示すように、読み出した背景画像情報に基づき、液体吐出ヘッド６０にホワイト（ｗ１）インクの液滴を吐出させる制御を行う（ステップＳ１０２）。このステップにより、前処理液が付与された浸透性記録媒体に、ホワイト（ｗ１）インクの付着物からなる第一のパターンが形成される。図１０は、ホワイト（ｗ１）インクの液滴（第一の液滴の一例）によって浸透性記録媒体に形成される第一のパターンの一例を表す模式図である。図１０に示すように、第一の走査により、二以上の第一の付着物１０２２が互いに接触しない位置にホワイト（ｗ１）インクの液滴は吐出される。例えば、画像の解像度が６００×６００ｄｐｉであり、図１０に示すような互い違いのパターン（市松模様）で第一の付着物を形成する場合、第一の付着物の直径は６３μｍ以下に制限される。
【００６１】
次に、吐出制御部７０１は、図７に示すように、読み出した背景画像情報に基づき、液体吐出ヘッド６０にホワイト（ｗ２）インクの液滴を吐出させる制御を行う（ステップＳ１０３）。このステップにより、前処理液が付与された浸透性記録媒体に、ホワイト（ｗ２）インクの付着物からなる第二のパターンが形成される。図１１は、ホワイト（ｗ１）インクの液滴（第一の液滴の一例）及びホワイト（ｗ２）インクの液滴（第二の液滴の一例）によって浸透性記録媒体に形成される第一のパターンおよび第二のパターンの一例を表す模式図である。図１１に示すように、第二の走査により、第二の付着物１０３２が第一の付着物１０２２と接触する位置に配置されるようにホワイト（ｗ２）インクの液滴は吐出される。
【００６２】
変形例Ａにおける処理は、形成される第一のパターンおよび第二のパターンの種類を置き換える点を除いて実施形態における処理と同様である。
【００６３】
上記変形例Ａによると、上記実施形態に比べて、第二の付着物１０３２が、２以上の第一の付着物１０２２とより接触しやすい位置に配置されている。これにより、ホワイト（ｗ２）インクが第一の付着物に含まれる液体と引き付け合う力が増し、よりホワイト（ｗ２）インクの浸透性記録媒体中への浸透速度を遅らせることができ、インクの裏抜けを抑制することができる。また、それにより浸透性記録媒体の色に対する隠蔽性が優れた背景画像を得られる。
【００６４】
＜＜変形例Ｂ＞＞
続いて、実施形態の変形例Ｂについて、上記の実施形態と異なる点を説明する。変形例Ｂにおいて、記憶部１０００に記憶されている背景画像情報１００１は、主走査方向における走査毎に、液滴が吐出される位置に関連する位置関連情報と、付着物のサイズに関連するサイズ関連情報と、が関連付けられている。「走査」は、ホワイト（ｗ１）インクの液滴を吐出する第一の走査と、ホワイト（ｗ２）インクの液滴を吐出する第二の走査を含む。第一の走査に関連付けられている「位置関連情報」は、ホワイト（ｗ１）インクの液滴が吐出される位置に関連する情報を示す。第一の走査に関連付けられている「サイズ関連情報」は、ホワイト（ｗ１）インクの液滴が位置関連情報に基づいて浸透性記録媒体に形成する第一の付着物において、第一の付着物同士が互いに接触しないように設定された第一の付着物のサイズに関連する情報を示す。また、第二の走査に関連付けられている「位置関連情報」は、ホワイト（ｗ２）インクの液滴が吐出される位置に関連する情報を示す。第二の走査に関連付けられている「サイズ関連情報」は、ホワイト（ｗ２）インクの液滴が位置関連情報に基づいて浸透性記録媒体に形成する第二の付着物において、第一の付着物と接触するように設定された第二の付着物のサイズに関連する情報を示す。
また、第一の走査、及び第二の走査のそれぞれに関連付けられているサイズ関連情報は、付着物のサイズを示す情報、ノズルサイズが異なることにより形成される付着物のサイズが異なる液体吐出ヘッドを複数有する液体吐出装置において特定のノズルから液滴を吐出することを示す情報などが挙げられるが、これらに限られない。なお、サイズ関連情報が付着物のサイズを示す情報である場合、吐出制御部は、付着物のサイズに対応する駆動波形の駆動信号を生成し、液体吐出ヘッド６０に供給する。なお、付着物のサイズを示す情報は、液滴を複数吐出して浸透性記録媒体に付着する前に合体させることで付着物のサイズを調整する情報であってもよい。
また、第一の走査、及び第二の走査のそれぞれに関連付けられているサイズ関連情報は、浸透性記録媒体に第一の液滴、第二の液滴を吐出した際の試験データに基づいて設定されている。また、これらサイズ関連情報は、浸透性記録媒体の種類ごとに設定されていてもよい。
【００６５】
変形例Ｂにおける処理は、液量関連情報をサイズ関連情報に置き換える点を除いて実施形態における処理と同様である。
【００６６】
上記実施形態によると、浸透性記録媒体の色に対する隠蔽性が優れる画像を形成することができる。
【００６７】
なお、変形例Ｂは、ホワイト（ｗ２）インクの付着物のサイズが、ホワイト（ｗ１）インクの付着物のサイズに比べて大きくなるようにサイズ関連情報が設定され、背景画像情報１００１として記憶部１０００に記憶されている。変形例Ｂの液滴の吐出制御を行うことで、上記実施形態と同様にホワイト（ｗ２）インクの浸透性記録媒体中への浸透速度を遅くすることができるため、インクの裏抜けを抑制することができる。
【００６８】
＜＜変形例Ｃ＞＞
続いて、実施形態の変形例Ｃについて、上記の実施形態と異なる点を説明する。変形例Ｃにおいて、吐出制御部７０１は、図７に示すように、記憶部１０００に記憶されている背景画像情報１００１を読み出す（ステップＳ１０１）。本実施形態において、記憶部１０００に記憶されている背景画像情報１００１は、主走査方向における走査毎に、液滴が吐出される位置に関連する位置関連情報と、液滴の液量に関連する液量関連情報と、背景画像の解像度に関連する解像度関連情報と、が関連付けられている。「走査」は、ホワイト（ｗ１）インクの液滴を吐出する第一の走査と、ホワイト（ｗ２）インクの液滴を吐出する第二の走査を含む。第一の走査に関連付けられている「位置関連情報」は、ホワイト（ｗ１）インクの液滴が吐出される位置に関連する情報を示す。第一の走査に関連付けられている「液量関連情報」は、ホワイト（ｗ１）インクの液滴が位置関連情報に基づいて浸透性記録媒体に形成する第一の付着物において、第一の付着物同士が互いに接触しないように設定されたホワイト（ｗ１）インクの液滴の液量に関連する情報を示す。第一の走査に関連付けられている「解像度関連情報」は、ホワイト（ｗ１）インクの液滴により形成される背景画像（第一のパターン）の解像度に関連する情報を示す。また、第二の走査に関連付けられている「位置関連情報」は、ホワイト（ｗ２）インクの液滴が吐出される位置に関連する情報を示す。第二の走査に関連付けられている「液量関連情報」は、ホワイト（ｗ２）インクの液滴が位置関連情報に基づいて浸透性記録媒体に形成する第二の付着物において、第一の付着物と接触するように設定されたホワイト（ｗ２）インクの液滴の液量に関連する情報を示す。第二の走査に関連付けられている「解像度関連情報」は、ホワイト（ｗ２）インクの液滴により形成される背景画像（第二のパターン）の解像度に関連する情報を示す。
【００６９】
次に、吐出制御部７０１は、図７に示すように、読み出した背景画像情報に基づき、液体吐出ヘッド６０にホワイト（ｗ１）インクの液滴を吐出させる制御を行う（ステップＳ１０２）。このステップにより、前処理液が付与された浸透性記録媒体に、ホワイト（ｗ１）インクの付着物からなる第一のパターンが形成される。図１２は、ホワイト（ｗ１）インクの液滴（第一の液滴の一例）によって浸透性記録媒体に形成される第一のパターンの一例を表す模式図である。図１２に示すように、第一の走査により、二以上の第一の付着物１０２３が互いに接触しない位置にホワイト（ｗ１）インクの液滴は吐出される。
【００７０】
次に、吐出制御部７０１は、図７に示すように、読み出した背景画像情報に基づき、液体吐出ヘッド６０にホワイト（ｗ２）インクの液滴を吐出させる制御を行う（ステップＳ１０３）。このステップにより、前処理液が付与された浸透性記録媒体に、ホワイト（ｗ２）インクの付着物からなる第二のパターンが形成される。図１３は、ホワイト（ｗ１）インクの液滴（第一の液滴の一例）及びホワイト（ｗ２）インクの液滴（第二の液滴の一例）によって浸透性記録媒体に形成される第一のパターンおよび第二のパターンの一例を表す模式図である。図１３に示すように、第二の走査により、第二の付着物１０３３が第一の付着物１０２３と接触する位置にホワイト（ｗ２）インクの液滴は吐出される。
【００７１】
また、本実施形態は、図１３に示すように、ホワイト（ｗ２）インクの液滴の液量が、ホワイト（ｗ１）インクの液滴の液量に比べて多くなるように液量関連情報が設定され、且つホワイト（ｗ２）インクの液滴により形成される背景画像の解像度が、ホワイト（ｗ１）インクの液滴により形成される背景画像の解像度に比べて低くなるように解像度関連情報が設定され、背景画像情報１００１として記憶部１０００に記憶されている。これにより、第一の付着物は液量の少ない液滴（小滴）を付与することで形成されるため、インクの裏抜けを抑制することができる。また、第二の付着物は液量の多い液滴（大滴）を付与することで形成されるが、本実施形態の液滴の吐出制御を行うことで、上記のようにホワイト（ｗ２）インクの浸透性記録媒体中への浸透速度を遅くすることができるため、インクの裏抜けを抑制することができる。
【００７２】
＜＜実施形態の補足＞＞
上記で説明した実施形態の各機能は、一又は複数の処理回路によって実現することが可能である。ここで、本明細書における「処理回路」とは、電子回路を含むプロセッサのようにソフトウェアによって各機能を実行するようプログラミングされたプロセッサや、上記で説明した各機能を実行するよう設計されたASIC(Application Specific Integrated Circuit)や従来の回路モジュール等のデバイスを含むものとする。
【符号の説明】
【００７３】
１Ａ，１Ｂ  液体吐出装置
６，６０  液体吐出ヘッド
７０１  吐出制御部
【先行技術文献】
【特許文献】
【００７４】
【特許文献１】特開２０１５-４０３７号公報
【図１】
2019166700.tif 000003
【図２】
2019166700.tif 000004
【図３】
2019166700.tif 000005
【図４】
2019166700.tif 000006
【図５】
2019166700.tif 000007
【図６】
2019166700.tif 000008
【図７】
2019166700.tif 000009
【図８】
2019166700.tif 000010
【図９】
2019166700.tif 000011
【図１０】
2019166700.tif 000012
【図１１】
2019166700.tif 000013
【図１２】
2019166700.tif 000014
【図１３】
2019166700.tif 000015